(57)【要約】      （修正有）【課題】通常タイプの作業服の下に、着用するだけで真夏の炎天下での作業のように急激に上昇しがちな体温の上昇を効果的に抑制できて、長時間に亘り着衣の内部を適正な温度に保持することが可能な保冷用衣服を提供する。【解決手段】シート状又はプレート状の柔軟な合成樹脂発泡体、若しくは、柔軟容器に封入されたゾル状またはゲル状冷却剤を、上衣形状体における少なくとも前身頃形状と後身頃形状の略全部又は一部をなすブロック状芯材５１〜５４に形成すると共に、芯材を網地等による通気性の生地を用いた外皮により被覆して身頃ブロック体１１，２１，３１，３２に形成し、前，後の身頃ブロック体を連結帯４１，４２で接続して形成した上衣形状体を、身頃ブロック体の芯材を凍結を含む冷却した状態で着用する。【選択図】図１
0003187781.tif 000002
【実用新案登録請求の範囲】
【請求項１】
シート状又はプレート状の柔軟な合成樹脂発泡体、若しくは、柔軟な容器に封入されたゾル状又はゲル状の冷却剤を、上衣形状の少なくとも前身頃形状と後身頃形状の略全部又は一部をなすブロック状芯材に形成すると共に、該芯材を網地等による通気性の生地を用いた外皮により被覆して身頃ブロック体に形成し、これらの前，後身頃ブロック体を接続して形成した上衣形状体を、前記身頃ブロック体の芯材を凍結を含む冷却した状態で着用するようにしたことを特徴とする保冷用衣服。
【請求項２】
上衣形状体の身頃ブロック体は、ポケット状に形成し、そのポケットに凍結を含む冷却したブロック状芯材を出入れ自在に収容した請求項１に記載の保冷用衣服。
【請求項３】
ブロック状芯材とそれを被覆する身頃ブロック体は、前，後身頃形状の一部をなす長方形又は正方形に形成し、この身頃ブロック体同士を接続して上衣形状体に形成した請求項１又は２に記載の保冷用衣服。
【請求項４】
身頃ブロック体の接続は、テープ状又はベルト状の連結帯によって結合・分離自在に接続した請求項１〜３のいずれかに記載の保冷用衣服。
【請求項５】
連結帯は、面ファスナ部材等による止着材を備えている請求項４に記載の保冷用衣服。
【請求項６】
身頃ブロック体は、ブロック状芯材の出入れ口を備えている請求項１〜５のいずれかに記載の保冷用衣服。
【考案の詳細な説明】
【技術分野】
【０００１】
本考案は、夏季の屋外作業などのように体温が著しく上昇する場合などに、例えば、作業衣の下に着用して身体が上昇するのを効果的に防ぐことができる保冷用衣服に関する。
【背景技術】
【０００２】
従来より、冷たさを感じる衣服として、胸部や背中に対応する部位に、放熱性に優れた生地を使用した衣類が、特許文献１により提案されている。
また、肌が接すれば冷たさを感じる繊維が特許文献２により提案されており、このような繊維による生地で形成された衣服も、冷気を感じる衣服として機能するものと考えられる。
一方、高温条件下での作業において、作業者の体が温度が上がって発症する熱中症等の危険を回避するために着用する服として、特許文献３の保冷服が提案されている。
【先行技術文献】
【特許文献】
【０００３】
【特許文献１】特開平１１−２４７０１１号公報
【特許文献２】特許第５００９７９８号公報
【特許文献３】特開２０１１−００１６６９号公報
【０００４】
しかし乍ら、特許文献１に示されるような冷たさを感じさせる衣服であっても、例えば真夏の炎天下で着用する上下つなぎ服スタイルの例えば防護服に形成した場合、作業時に上昇する体温の大きな熱エネルギーを吸収してしまうことはきわめて困難である。また、特許文献２のような冷たさを感じる繊維製の作業服であっても、上記のような作業時に大幅に上昇する体温を吸収することはできない。さらに、特許文献３の保冷服も保冷容量が小さいため、炎天下で着用する作業服としては、着用者の体温の上昇を十分に抑制できない面がある。
従って、作業時に体温の上昇を効果的に、かつ、継続的に抑制できないと、例えば炎天下での作業効率が著しく低下するのみならず、熱中症等を惹起し甚だ危険でもある。
ここで、保冷容量とは、低温度（例えば、０℃近傍、或は、それ以下の温度）に冷却した保冷材（凍結体を含む）が常温に戻るまでの時間の長さをいうものとする。
【考案の概要】
【考案が解決しようとする課題】
【０００５】
そこで本考案では、通常タイプの作業服の下に、着用するだけで真夏の炎天下での作業のように急激に上昇しがちな体温の上昇を効果的に抑制できて長時間に亘り着衣の内部を適正な温度に保持することが可能な保冷用衣服を提供することをその課題とする。
【課題を解決するための手段】
【０００６】
上記課題を解決することを目的としてなされた本考案保冷用衣服の構成は、シート状又はプレート状の柔軟な合成樹脂発泡体、若しくは、柔軟容器に封入されたゾル状またはゲル状冷却剤を、上衣形状体におけるの少なくとも前身頃形状と後身頃形状の略全部又は一部をなすブロック状芯材に形成すると共に、該芯材を網地等による通気性の生地を用いた外皮により被覆して身頃ブロック体に形成し、前，後の身頃ブロック体を接続して形成した上衣形状体を、前記身頃ブロック体の芯材を凍結を含む冷却した状態で着用することを特徴とするものである。
【０００７】
本考案において、前記外皮は、少なくとも通気性の生地で形成する。
そしてブロック状に形成された上記芯材は、個々の芯材が前身頃形状、及び／又は、後身頃形状の一部分をなす形状である場合には、外皮により被覆された身頃ブロック体も前身頃形状、及び／又は、後身頃形状の一部の形状をなす。つまり、身頃形状の一部をなす部分身頃ブロック体は、部分身頃ブロック体同士の複数個を相互に接続することにより、上衣形状体の前身頃形状の全体、或は、後身頃形状の全体に形成される。部分身頃ブロック体の正面形状は、一例として長方形又は正方形であり、長方形のブロック体は横長の向き、又は、縦長の向きで使用する。また、正方形と長方形のブロック体同士の併用もある。
一方、ブロック状に形成された上記芯材が当初より前身頃形状の全体形状、及び／又は、後身頃形状の全体形状をなすように形成されている場合には、外皮により被覆される各身頃ブロック体は、それ単独で、例えば、左右の前身頃形状と一つの後身頃形状を形造ることができる。
【０００８】
また、上記の各ブロック状芯材は外皮に挿脱自在であることが好ましい。これは、芯材の取替えや外皮から取出して清浄処理をするためである。ブロック状芯材の挿脱部位としては、例えば各身頃ブロック体の裾部や前身頃ブロック体と後身頃ブロック体の接続境界を臨む側面などに、一例としてラインファスナによる芯材出入れ口を設ける。このほか、各身頃ブロック体の正面などに、ラインファスナにより縦向き、或は、横向きに、ブロック状芯材の出入れ口を設けてもよい。出入れ口の開閉手段はラインファスナのほか、面ファスナ，ホック，スナップボタンなどであってもよい。
【０００９】
なお、本考案においては、ブロック状芯材を被覆する外皮、すなわち、各身頃ブロック体を前身頃形状、及び／又は、後身頃形状の一部をなすポケット状に形成し、凍結を含み冷却したブロック状芯材を当該ポケットに収容できるようにしておけば、各ポケットを連結することにより、一例としてベスト状の保冷用衣服形状体を形成することができる。
【００１０】
上記の上衣形状体の例は、身頃ブロック体（段落０００９のポケットを含む。以下、同じ。）を互いに接続してベストや上衣などに形成した例であるが、本考案では、身頃ブロック体を接続して形成する上衣形状体を、着用者の胸部とその胸部に対応した背中側上半部に当てがわれる上衣形状体とすることもできる。図１にその一例を示す。
【考案の効果】
【００１１】
本考案は、柔軟なブロック状芯材を凍結を含む冷却状態で出入れ自在に挿入するようにした前後の身頃ブロック体同士を接続して衣服形状体、すなわち保冷用衣服に形成できるから、この保冷用衣服を例えば作業衣の下に着用した作業者は、真夏の炎天下などの高温環境下での作業に従事しても、前記ブロック状芯材が常温に戻るまで体温の上昇を抑制しつつ作業をすることが可能になる。
各身頃ブロック体を接続した形態で得られる上衣状をなす本考案保冷用衣服は、これを単独で作業用上衣として着用することもできれば、作業衣の上から着用することもできる。どのような着用形態を取るかは任意である。
【図面の簡単な説明】
【００１２】
【図１】本考案保冷用衣服の実施形態の一例を説明するための正面図。
【図２】本考案保冷用衣服における身頃ブロック体の一例を説明するための要部の拡大平断面図。
【考案を実施するための形態】
【００１３】
次に、本考案の実施形態例について図面を参照して説明する。
図１は、後述する前後の身頃ブロック体を連結して大略ベスト状の上半部をなすように形成した本考案保冷用衣服Ｃｗの一例である。ここでは、左右で２個の前身頃ブロック体１１，２１と、同じく左右で２個の後身頃ブロック体３１，３２とを、対をなす連結帯４１，４２によって連結することにより、大略ベストの上半部状をなす保冷用衣服Ｃｗに形成されている。図１に２点鎖線で描いた形状が通常のベスト状を示す線であるから、図１の衣服Ｃｗは、通常ベストの上下長さが約１／２の大きさである。
図１の連結帯４１，４２は、正面から見てテープ状乃至ベルト状であり、図示の例では、面ファスナを結合手段に用いているが、面ファスナ以外の結合手段、例えばボタン，ホック，鉤などの止着材を用いることができる。また、連結帯４１，４２には、テープやベルトなどの帯状体のほか、紐や鎖などの柔軟な連結材を用いることができる。
【００１４】
図１の本考案衣服Ｃｗは、この例では、図２の平断面図に例示するように、表地Ｏｓと裏地Ｉｓにより身頃形状の一部（又は全部）をなす外皮ＧＳに形成されており、表地Ｏｓは、少なくとも防水性、又は、防水性と断熱性を備えた素材を使用することが望ましい。このような素材の例としては、表面が防水性であり内部が発泡層に形成された合成樹脂製の柔軟シート材がある。発泡層は、独立又は連続のいずれかのタイプの気泡であってもよい。
【００１５】
一方、裏地Ｉｓは、表地Ｏｓとの間に介挿する凍結を含み冷却したブロック状の芯材５１〜５４と着衣者の体表面の間での熱交換効率を高めるため、一例として薄手で通気性のある織物や不織布、或は、ネット地などにより形成されている。
【００１６】
本考案では、上記の表地Ｏｓと裏地Ｉｓで袋状に形成される外皮ＧＳの中に凍結したブロック状芯材５１〜５３を収容するため、図１のベストの上半部をなす衣服Ｃｗでは、各身頃ブロック体１１、２１、３１，３２の裾部に、図に表れないラインファスナなどにより開閉自在に形成したブロック芯材５１〜５４の出入れ口６１〜６４が形成されている。
【００１７】
本考案保冷用衣服に使用する凍結させるブロック状芯材５１〜５４は、一例として柔軟な板状のＰＶＡ（ポリビニルアセタール）発泡体により形成されたものである。ＰＶＡ発泡体に代えて柔軟容器に封入したゾル状又はゲル状の冷却剤を用いることができる。
各ブロック状芯材５１〜５４は、図１の例ではその外形をそれぞれ表地Ｏｓと裏地Ｉｓで形成された左右の前身頃の上半部形状の外皮ＧＳ、後身頃の上半部の形状を縦に二分した形の外皮ＧＳの内側に収まる形状に形成し、厚さを一例として１ｍｍ〜２０ｍｍ程度に形成したものの中から選択したものを用いている。なお、本考案では、前，後見頃を形成している上記外皮ＧＳを複数区画に形成し、各区画に合せた形状のブロック状基材を、各区画に出入れ自在に収容するようにしてもよい。各区画に合せた形状のブロック状芯材は、各区画に縦長又は横長にレイアウトすることができる。各形状の区画を併用したレイアウトもある。
【００１８】
上記のようにＰＶＡ発泡体を板状にして形成されたブロック状芯材５１〜５４は、夫々に含水させてから夫々に冷凍庫等に入れて凍結させ、この凍結状態で、図１のベストの上半部状をなす本考案保冷用衣服Ｃｗを形成する身頃ブロック体１１、２１、３１，３２の裾に形成した芯材出入れ口６１〜６４から各身頃ブロック体１１〜３２になる各外皮ＧＳの内部に収容し、各身頃ブロック体１１〜３２を連結帯４１，４２の面状ファスナにより連結してベストの上半部状に形成し、この状態で作業者が着装して作業するといった態様で用いる。なお、凍結したブロック状芯材５１〜５４は、上記ベストの上半部状をなす保冷用衣服Ｃｗの首回り部に襟が設けられているときは、襟形状の芯材（図示せず）をその襟の内部に入れることができる。
【００１９】
因みに、厚さが１ｍｍのブロック状芯材５１〜５４を凍結させて各身頃ブロック体１１〜３２を形成する外皮ＧＳの内部に収容した図１の本考案保冷用衣服Ｃｗを着用して実際に野外で作業をしたところ、各ブロック状芯材５１〜５４がほぼ常温（１５℃〜２０℃）に戻るのに約３時間を要した。
【００２０】
このことから、本考案では、各ブロック体芯材５１〜５４の厚みを大きくして保冷容量を大きくすれば、野外作業で着用しても少なくとも５〜６時間は作業衣内の温度を、体温の上昇を効果的に抑制した状態に保持できるから、例えば真夏の炎天下での作業時に体温上昇を防いで熱中症などの罹患を効果的に防止することができる。
【００２１】
次に、図２に要部の平断面を例示した本考案保冷衣用服に用いる外皮ＧＳ（身頃ブロック体１１〜３２）の例について説明する。
図２は、本考案保冷用衣服Ｃｗを形成する身頃ブロック体１１〜３２における外皮ＧＳの表地Ｏｓと裏地Ｉｓの間に、例えばＰＶＡ発泡体による芯材５１〜５４が収容される点は、図１の例と同様であるが、図２の例では、表地Ｏｓと裏地Ｉｓによって身頃ブロック体状をなすポケットに形成し、各ポケットを接続して図１のベスト上半部状に形成して前記各ポケットにブロック状芯材５１〜５４を出入れ自在に収容することにより、各ポケットの裏地Ｉｓの側から凍結したブロック状芯材５１〜５４の冷気をこの衣服Ｃｗの着用者に伝えることができるようにしたものである。なお、本考案では、上記ポケットを段落００１８で説明した複数区画を持つ形態に形成することができる。
【００２２】
図２において、４３，４４は、表地Ｏｓと裏地Ｉｓによってポケット状に形成した外皮Ｇｓの左右に形成した雌，雄の面ファスナ部材４５ａ，４５ｂを有する連結帯の例である。この連結体４３，４４と同構造の連結帯は、図２に表われないが、ポケット（外皮ＧＳ）の上，下辺にも形成されるものとする。面ファスナ部材４５ａ，４５ｂを有する連結帯４３，４４をポケット状外皮ＧＳの左右側に設けるか、上下側に設けるか、或は、両方に設けるかは、適宜選択すればよい。
【００２３】
図１の連結帯４１，４２も、図２の連結帯４３，４４と同様の雌雄の面ファスナ部材を備えたものである。すなわち、面ファスナ部材を備えた連結帯４１，４２を有する身頃ブロック体１１〜３２は、上下方向、又は、左右方向で隣合う当該ブロック体１１〜３２同士を、雌雄の面ファスナ部材を係合，離脱することにより、接合，分離するようになっている。
なお、上述の本考案衣服は身頃ブロック体１１〜３２を形成する外皮ＧＳの表地Ｏｓを難燃性又は不燃性の素材で形成し、消防服や防護服などの下に着用する保冷用衣服として用いることができる。
【００２４】
本考案は以上の通りであるから、夏季の炎天下などにおいて作業服の下に着用することにより、着用者の体温が上昇してしまうことを効果的かつ効率よく抑制することが可能になるから、身体保冷用衣服としてきわめて有用である。
【符号の説明】
【００２５】
Ｃｗ            本考案保冷用衣服
１１，２１      左右の前身頃の上半部のブロック体
３１，３２      左右の後身頃の上半部のブロック体
４１〜４４      連結帯
４５ａ，４５ｂ  面ファスナ部材
５１〜５４      ブロック状芯材
Ｏｓ            表地
Ｉｓ            裏地
ＧＳ            外皮
【図１】
0003187781.tif 000003
【図２】
0003187781.tif 000004